(57)【特許請求の範囲】
【請求項１】
表示部と、
プリント配線板上のビアの層面上の位置データ、層間接続データ、及び表示形状データを記憶する記憶部と、
該記憶部から各データを読み出し、該位置データに対応する表示部の位置において該プリント配線板の全層数に対応する区画数に該表示形状を分割して表示すると共に該層間接続データに基づき該ビアによって接続される層を示す層区画全体をビア区画として選択的に表示する処理部と、
を備え、該プリント配線板の各層と該表示形状内の分割された各区画の位置とが予め対応付けされていることを特徴とする多層プリント配線板パターン設計処理装置。
【請求項２】
請求項１において、
該位置データと該層間接続データと該表示形状データとが入力部から該記憶部に与えられたことを特徴とする多層プリント配線板パターン設計処理装置。
【請求項３】
請求項１または２において、
該表示形状が円又は長方形であることを特徴とした多層プリント配線板パターン設計処理装置。
【請求項４】
請求項３において、
該表示形状が円であるとき、該ビア区画が扇形又は互いに平行な複数の弦によって分割されることを特徴とした多層プリント配線板パターン設計処理装置。
【請求項５】
請求項１乃至４のいずれかにおいて、
該表示形状を各層に対応した区画に等分割することを特徴とした多層プリント配線板パターン設計処理装置。
【請求項６】
請求項１乃至５のいずれかにおいて、
同一表示位置に設置された複数のビアについて各ビアが接続する層を、一のビア表示形状上の層区画に複数のビア区画として表示することを特徴とした多層プリント配線板パターン設計処理装置。
【請求項７】
請求項２乃至６のいずれかにおいて、
該入力部により該表示部上で該ビアが指定されたとき、該ビア区画を一時的に表示することを特徴とした多層プリント配線板パターン設計処理装置。
【請求項８】
請求項６において、
該処理部が、該複数のビアの接続層に対応する該複数のビア区画の間に境界線を描画することを特徴とした多層プリント配線板パターン設計処理装置。
【請求項９】
請求項２乃至８のいずれかにおいて、
該所定の形状データが該記憶部に複数種類用意され、該入力部からの指示によりそのいずれかを選択することを特徴とした多層プリント配線板パターン設計処理装置。
【請求項１０】
請求項２乃至９のいずれかにおいて、
該入力部からの指示により、該ビア区画又は該層区画に記号が表示されることを特徴とした多層プリント配線板パターン設計処理装置。
【発明の詳細な説明】
【発明の属する技術分野】
本発明は多層プリント配線板パターン設計処理装置に関し、特に多層プリント配線板パターンのビアを画面上に描画する装置に関するものである。
【０００１】
近年、電子デバイス技術・高密度実装技術等の進歩により、プリント配線板の高多層化・高密度化が進んでいる。この高多層化・高密度化に有効な実装技術として、異なった層間を接続するビア（via)がある。
【０００２】
そして、プリント配線板パターン設計処理装置の表示画面上において、ビアによって接続される層間を容易に確認できることは、パターン設計作業の効率化にとって必要になっている。
【０００３】
【従来の技術】
図１１は一般的な多層プリント配線板の構造を示しており、同図（１）は平面図を示し、同図（２）は同図（１）における線Ａ−Ａ’で切断したときの断面図を示している。
【０００４】
同図（２）に示されるように、プリント配線板１０は導体層１１−１〜１１−６（以下、単に層ということがある）と積層板１２−１〜１２−５が交互に積層された構成になっている。
【０００５】
ビア１３ａ−１は導体層１１−１の導体パタ−ン１４−１と導体層１１−３の導体パターン１４−２を電気的に接続している。ビア１３ａ−２及び１３ａ−３も同様に異なる導体層の導体パターン（図示せず）を接続するように設置されている。
【０００６】
ビアの種類は、ビア１３ａ−１〜１３ａ−３で示されるプリント配線板を貫通していないＩＶＨ（Inner Via Hole)とビア１３ｂで示される貫通ビアホールがある。
【０００７】
同図（１）において、プリント配線板の平面上にＸＹ座標が各ビアの設置位置を指定するために設定されており、ビア１３ａ−１，１３ａ−２の位置は同一の座標（Ｘ１，Ｙ１）で指定され、ビア１３ａ−３及び１３ｂの位置はそれぞれ座標（Ｘ２，Ｙ２）及び座標（Ｘ３，Ｙ３）で指定される。
【０００８】
図１２は従来のプリント配線板パターン設計処理装置の表示画面上におけるビアの描画例を示している。
【０００９】
この描画例においては、例えば図１１（２）に示すように導体層１１−１〜１１−６にそれぞれ対応する導体層色として、茶、赤、橙、黄、緑、及び青を予め決めておく。
【００１０】
そして、例えば、ビア１３ａ−３を表示する形状Ｃ０の中にビア１３ａ−３によって接続される導体層１１−３〜１１−５を示す円Ｃ１〜Ｃ３を橙、黄、及び緑でそれぞれ塗リつぶして表示している。
【００１１】
【発明が解決しようとする課題】
このような従来の多層プリント配線板パターン設計処理装置においては、表示された色からビアが接続する層を目視で直観的に判断するには熟練を要する。
【００１２】
特に、ＩＶＨについては、各ビア毎に接続する層間が異なることと、図１１（１）に示されるビア１３ａ−１，１３ａ−２のように画面上の同一位置に異なるビアが表示されることがあり、個々のビア毎に層間を意識しながら設計をすることを余儀なくされていた。
【００１３】
従って本発明は、ビアによって接続される層を直観的に判断できるようにビアを表示画面上に描画する多層プリント配線板パターン設計処理装置を提供することを目的とする。
【００１４】
【課題を解決するための手段】
上記の目的を達成するため、本発明に係る多層プリント配線板パターン設計処理装置は、プリント配線板上のビアの層面上の位置データ、層間接続データ、及び表示形状データを記憶する記憶部と、該記憶部から各データを読み出し、該位置データに対応する表示部の位置において該プリント配線板の全層数に対応する区画数に該表示形状を分割して表示すると共に該層間接続データに基づき該ビアによって接続される層を示す層区画全体をビア区画として選択的に表示する処理部と、を備え、該プリント配線板の各層と該表示形状内の分割された各区画の位置とが予め対応付けされていることを特徴とする。
【００１５】
図１は上記の本発明の原理（その１）を例示して説明するための図であり、記憶部に記憶された１つのビアの位置データ、層間接続データ、及び表示形状データに基づいて、表示部の画面上に該ビアが処理部によって表示されている。
【００１６】
この例では、位置データに対応する座標（Ｘ１，Ｙ１）を中心とした位置に、所定の形状である楕円が多層プリント配線板の層数６に対応する層区画Ｄ１〜Ｄ６に分割されて表示されている。
【００１７】
そして、ビアが接続する層３〜５を示す層区画Ｄ３〜Ｄ５がビア区画Ｖ（網かけ部）として選択されて合成表示されている。
【００１８】
ビアを表示した形状のビア区画Ｖから、ビアが層３〜層５を接続していることを直ちに読み取ることができる。
【００１９】
また、上記の本発明において、該位置データと該層間接続データと該表示形状データとが入力部から該記憶部に与えることができる。
【００２０】
すなわち、各ビアの位置データ、層間接続データ、及び表示形状データを入力部を用いて記憶部に書き込むことができる。
【００２１】
また、上記の本発明において、該表示形状が円又は長方形としてもよい。
【００２２】
すなわち、図２の本発明の原理説明図（その２）に例示すように、ビアの表示形状は同図（１）に示す円又は同（２）に示す長方形でもよい。
【００２３】
さらに、上記の本発明において、該表示形状が円であるとき、該区画を扇形又は互いに平行な複数の弦によって分割してもよい。
【００２４】
すなわち、図３の本発明の原理説明図（その３）に例示するように、ビアの表示形状円を同図（１）のように扇形の区画Ｄ１〜Ｄ６で分割するか、あるいは同図（２）のように平行な弦Ｇ１〜Ｇ５で区画Ｄ１〜Ｄ６に分割してもよい。
【００２５】
また、上記の本発明において、該表示形状を各層に対応した区画に等分割するように表示してもよい。
【００２６】
すなわち、図４の本発明の原理説明図（その４）に例示するように、ビアの表示形状である長方形を等分割された区画Ｄ１〜Ｄ６で表示してもよい。
【００２７】
また、上記の本発明において、同一表示位置に設置された複数のビアについて各ビアが接続する層を、一のビア表示形状上の層区画に複数のビア区画として表示することが可能である。
【００２８】
すなわち、図５に例示する本発明の原理説明図（その５）において、同図（１），（２）に示すビアの形状はそれぞれプリント配線板パターンの同じ位置に設置された層１〜３を接続するビア１３ａ−１（図１１参照）と層４〜５を接続するビア１３ａ−２（同）を網掛けしたビア区画Ｖ１，Ｖ２で表示している。
【００２９】
同図（３）は同図（１）及び（２）を併合して表示した例を示しており、ビア区画Ｖ１，Ｖ２が同じ一円にそれぞれ異なる網を掛けられて表示されている。
【００３０】
この併合表示によって、ビア１３ａ−２，１３ａ−２は設置位置に重ね合わせて表示することができるともに、各ビア１３ａ−１，１３ａ−２が接続する層間を容易に確認することができる。
【００３１】
さらに、上記の本発明においては、該入力部により該表示部上で該ビアが指定されたとき、該ビア区画を一時的に表示することが可能である。
【００３２】
すなわち、例えば図３（１）において、通常時はビアを円のみで表示し、ビア区画Ｖを表示せず、入力部によって円が指定された必要時にのみビア区画Ｖを一時的に表示させることができる。したがって、ビア区画Ｖを不必要時に常時表示させなくて済む。
【００３３】
また、上記の本発明では、該処理部が、該複数のビアの接続層に対応する複数のビア区画の間に境界線を描画することができる。
【００３４】
すなわち、例えば図５（３）において、同一位置に設置された異なるビア１３ａ−１，１３ａ−２のそれぞれのビア区画Ｖ１，Ｖ２の境界線Ｌを一層はっきりと描画して境界を明示することができる。
【００３５】
また、上記の本発明では、該所定の形状データが該記憶部に複数種類用意され、該入力部からの指示によりそのいずれかを選択することが可能である。
【００３６】
すなわち、１つのビアに対して例えば図３（１）に示される形状及び図４に示される形状を記憶部に用意しておき、入力部の指定に基づいていずれかの形状を選択して表示部に表示させることが可能である。
【００３７】
したがって、必要に応じて最も目的に合った表示形状に入力部を用いて切り換えることが可能である。
【００３８】
そして、上記の本発明では、該入力部からの指示により、ビア区画又は該層区画に記号を表示してもよい。
【００３９】
すなわち、入力部の指示により、各層に対応した記号を各層区画に表示することができる。この結果、各層区画に対応する導体層が容易に確認できるようになる。
【００４０】
【発明の実施の形態】
図６は本発明に係る多層プリント配線板パターン設計処理装置の実施例を示しており、計算機１に含まれる処理部２と、この処理部２に接続される記憶部３、表示部４、入力部としてのキーボード８及びマウス９で構成されている。
【００４１】
このうち、記憶部３は、さらにプリント配線板設計情報を格納した設計データベース部５を内蔵し、この設計データベース部５はビアデータ部６及びビア表示モード定義テーブル７を含んでいる。
【００４２】
処理部２は設計データベース部５に格納されたプリント配線板設計情報を表示部４に表示する処理を行なう。
【００４３】
図７はビアデータ部６における１つのビアのデータ構成例を示しており、ビアの位置をプリント配線板上のＸＹ座標で示した設置位置Ｘと設置位置Ｙ、ビアが接続する層の開始端層番号を示すＦｒｏｍ層Ｌ１（＝２）と終了端層番号を示すＴｏ層Ｌ２（＝４）、形状データＲ（例えば円の半径）、及び表示モード番号Ｍ等で構成されている。
【００４４】
図８はビア表示モード定義テーブル７の１つのビアの表示モードデータ構成例を示しており、ビアデータ部６で指定された表示モード番号Ｍ、表示形状と分割方法を示す表示モード、層番号（層記号）を表示するか否かを示す層番号ＯＮ／ＯＦＦ、及び選択されたか否かを示す選択／非選択の項で構成されている。
【００４５】
ビアデータ部６及び表示モード定義テーブル７の内容は計算機１によって予め設定されるか、キーボード８又はマウス９の入力操作によって設定及び変更が可能である。
【００４６】
このような実施例の動作例を以下に説明する。
まず、ビアの表示モードを設定するための図９に示す表示画面の実施例において、操作者が画面上に表示されたビア表示モード（同図（１））をマウス９等で選択すると、表示モードの選択メニュー（同図（２））が表示される。ここでは一例として等分割円表示モード（図３（１）参照）を指定する。
【００４７】
この等分割表示モードの指定を受けて処理部２は記憶部３のビア表示定義テーブル７の等分割円表示モードを選択する。
【００４８】
同様にして、マウス９等で、層番号を表示するか否かを指定することが出来る。
【００４９】
処理部２は指定され表示モード、層番号の表示／非表示をモード定義テーブル７に登録する。すなわち、モード定義テーブル７の項目「表示モード」が等分割円表示であり、項目「層番号ＯＮ／ＯＦＦ」が例えば「層番号ＯＮ」である項目を「選択」に設定し、その他は全て「非選択」に設定する（図８参照）。
【００５０】
そして、処理部２は項目「表示モード番号」から選択された表示モードの番号「１」を読み、この「１」をビアデータ部７の表示モード番号Ｍに登録して表示モードの設定は完了する。
【００５１】
次に、処理部２がビアを表示する手順を図１０により説明する。
処理部２は表示部４に表示すべきビアがビアデータ部６にあるとき、そのビアのデータと表示モードをそれぞれビアデータ部６と表示モード定義テーブル７から読み出す。
【００５２】
すなわち、処理部２は図７のビアデータ部６から設置位置Ｘ，Ｙ、Ｆｒｏｍ層Ｌ１＝２、Ｔｏ層Ｌ２＝４、形状データ（半径＝Ｒ）、表示モード番号Ｍ＝「１」等を知る。
【００５３】
さらに、処理部２は表示モード番号Ｍ＝「１」から、図８に示したモード定義テーブル７を参照して現在の指定された表示モードが「等分割円表示」及び「層番号ＯＮ］であることを知る。
【００５４】
このようなビアの表示データに基づいて表示部４に該ビアを表示する実施例を図１０（１）に示した表示モードが円等分割表示である場合について説明する。
【００５５】
▲１▼設計プリント配線板の層数Ｎ＝「４」を設計データベース部５から読出す。なお、この層数等のデータベースは従来と同様に設計データベース部５に予め用意されている。
▲２▼円周角３６０°を層数Ｎ＝「４」で割り、１層当たりの分配角度＝９０°を求める。
▲３▼時計１２時の位置から順次、半径Ｒで角度が９０°である扇形Ｄ１〜Ｄ４を作成して、設置位置Ｘ，Ｙに対応する画面上の位置に描画する。
【００５６】
▲４▼Ｆｒｏｍ層Ｌ１（＝２）からＴｏ層Ｌ２（＝４）間の扇形部Ｄ２〜Ｄ４を例えば同一色で塗りつぶしてビア区画として表示する。
▲５▼層番号の描画がＯＮであるので、各扇形状Ｄ１〜Ｄ４の上に対応する層番号１〜４を描画する。
▲６▼さらに設置位置Ｘ，Ｙと同じ位置にビアがあれば（図１１の例参照）同様の描画を繰り返す。
▲７▼ビア区画同士が接する境界線があれば該境界線を描画する。すなわち、図５に示した例のように同一位置のビア２個あるときには併合表示されるビア区画Ｖ１，Ｖ２が境界線Ｌを挟んで接するので、境界線Ｌは一応視認できるが、より一層明瞭にするためこの境界線Ｌ自体を描画することが好ましい。
【００５７】
なお、ビア表示は層数分だけ全て表示するのではなく、その一部のみを表示するようにしてもよい。
【００５８】
同図（２）は表示モードが弦で分割されたスライス円表示である場合の実施例を示しており、この場合の手順を説明する。
【００５９】
▲１▼設計プリント配線板の層数Ｎ＝「４」を設計データベース部５から読出す。
▲２▼直径２Ｒを層数Ｎ＝「４」で割り１層当たりのスライス長を求める。
▲３▼平行な３つの弦で等分してスライス円Ｄ１〜Ｄ４を作成し設置位置Ｘ，Ｙに対応する画面上の位置に描画する。
▲４▼表示すべきビアをＦｒｏｍ層からＴｏ層間のスライス円Ｄ２〜Ｄ４を塗りつぶす。
【００６０】
▲５▼層番号の描画がＯＮの場合は、各スライス円Ｄ１〜Ｄ４に対応する層番号１〜４を描画する。
▲６▼さらに設置位置Ｘ，Ｙと同じ位置にビアがあれば同様の描画を繰り返す。
▲７▼ビア区画同士が接する境界線があれば該境界線を一層明瞭に描画する。
【００６１】
【発明の効果】
以上説明したように、本発明に係る多層プリント配線板パターン設計処理装置によれば、ビアが接続する層が直観的に判断できるように表示することが可能となり、パターン設計作業の効率化に寄与するところが大きい。また、同一表示位置にある複数のビア区画を併合して表示することも可能となる。
【図面の簡単な説明】
【図１】本発明に係る多層プリント配線板パターン設計処理装置におけるビア表示の原理を示した説明図（その１）である。
【図２】本発明に係る多層プリント配線板パターン設計処理装置におけるビア表示の原理を示した説明図（その２）である。
【図３】本発明に係る多層プリント配線板パターン設計処理装置におけるビア表示の原理を示した説明図（その３）である
【図４】本発明に係る多層プリント配線板パターン設計処理装置におけるビア表示の原理を示した説明図（その４）である。
【図５】本発明に係る多層プリント配線板パターン設計処理装置におけるビア表示の原理を示した説明図（その５）である。
【図６】本発明に係る多層プリント配線板パターン設計処理装置の実施例を示したブロック図である。
【図７】本発明に係る多層プリント配線板パターン設計処理装置におけるビアデータを示す構成図である。
【図８】本発明に係る多層プリント配線板パターン設計処理装置におけるビア表示モードを定義するテーブル図である。
【図９】本発明に係る多層プリント配線板パターン設計処理装置における表示モード設定画面を示す図である。
【図１０】本発明に係る多層プリント配線板パターン設計処理装置におけるビアを描画する実施例を示すパターン図である。
【図１１】一般的な多層プリント配線板の構造を示す平面図及び断面図である。
【図１２】従来の多層プリント配線板パターン設計処理装置におけるビア表示例を示したパターン図である。
【符号の説明】
１  計算機
２  処理部
３  記憶部
４  表示部
５  設計データベース部
６  ビアデータ部
７  ビア表示モード定義テーブル
８  キーボード
９  マウス
１０  多層プリント配線板
１１  導体層
１２  積層板
１３  ビア
１３ａ  インナビアホール（ＩＶＨ）
１３ｂ  貫通ビアホール
１４  導体パターン
図中、同一符号は同一又は相当部分を示す。
【図１】
0003986109.tif 000002
【図２】
0003986109.tif 000003
【図３】
0003986109.tif 000004
【図４】
0003986109.tif 000005
【図５】
0003986109.tif 000006
【図６】
0003986109.tif 000007
【図７】
0003986109.tif 000008
【図８】
0003986109.tif 000009
【図９】
0003986109.tif 000010
【図１０】
0003986109.tif 000011
【図１１】
0003986109.tif 000012
【図１２】
0003986109.tif 000013